(57)【要約】【課題】複数の発光素子の光を有効に利用する計器を提供する。【解決手段】計器１０は、第１発光素子５０ａと、この第１発光素子５０ａから離れている第２発光素子５０ｂとを有する。計器１０は、第１発光素子５０ａと第２発光素子５０ｂとの間に、それらに対向するように配置された光学要素４０を有する。光学要素４０は、第１発光素子５０ａおよび第２発光素子５０ｂによって発生した光を、少なくとも反射するように、または少なくとも拡散するように構成されている。光学要素４０の一例はプリズムである。光学要素４０は、プリズムの先端部分８４を第１発光素子５０ａと第２発光素子５０ｂとの間に位置づけている。【選択図】図１
2015072255.tif 000002
【特許請求の範囲】
【請求項１】
第１発光素子と、この第１発光素子から離れている第２発光素子と、
前記第１発光素子と前記第２発光素子との間に、それらに対向するように配置され、前記第１発光素子および前記第２発光素子によって発生した光を、反射、または拡散の少なくともひとつをするように構成された光学要素とを備えることを特徴とする計器。
【請求項２】
さらに、前記第１発光素子と前記第２発光素子とが搭載された回路基板を備えることを特徴とする請求項１に記載の計器。
【請求項３】
前記第１発光素子および前記第２発光素子は発光ダイオードであることを特徴とする請求項１または請求項２に記載の計器。
【請求項４】
前記第１発光素子と前記第２発光素子とは異なる色で発光することを特徴とする請求項１から請求項３のいずれかに記載の計器。
【請求項５】
前記第１発光素子と前記第２発光素子とは異なる発光強度で発光することを特徴とする請求項１から請求項４のいずれかに記載の計器。
【請求項６】
前記第１発光素子および前記第２発光素子の少なくともひとつは、２色以上の色で発光することを特徴とする請求項１から請求項５のいずれかに記載の計器。
【請求項７】
さらに、観察者から視認される装飾盤、および
前記装飾盤と前記第１発光素子および前記第２発光素子との間に設けられた光学層を備え、
前記光学要素は前記光学層に設けられていることを特徴とする請求項１から請求項６のいずれかに記載の計器。
【請求項８】
前記光学要素はプリズムであることを特徴とする請求項１から請求項７のいずれかに記載の計器。
【請求項９】
前記光学要素は中空の容積室を区画形成することを特徴とする請求項１から請求項８のいずれかに記載の計器。
【請求項１０】
前記光学要素は、光を反射する面、および／または光を拡散する面を有し、その少なくとも一部は前記第１発光素子および前記第２発光素子に面していることを特徴とする請求項１から請求項９のいずれかに記載の計器。
【請求項１１】
前記光学要素は、前記第１発光素子と前記第２発光素子との間に位置する先端部分に向けて延びていることを特徴とする請求項１から請求項１０のいずれかに記載の計器。
【請求項１２】
前記光学要素は、模様加工された表面または繰り返し模様加工された表面を有する光変調部分を備えることを特徴とする請求項１から請求項１１のいずれかに記載の計器。
【請求項１３】
前記光学要素は、曲面またはＶ字型に形成され、光を偏向または拡散させる光変調部分を有することを特徴とする請求項１から請求項１２のいずれかに記載の計器。
【請求項１４】
第１発光素子と第２発光素子とがその上に搭載された回路基板と、
前記回路基板に向けて延び出す光学要素であって、その先端部分が前記回路基板に最も近く、その先端部分が前記第１発光素子と前記第２発光素子との間の前記回路基板の部分と対向し、光を反射、または光を拡散の少なくともひとつをするように構成された光学要素を有する光学層とを備えることを特徴とする計器。
【請求項１５】
前記光学要素は軸に沿って細長く延びていることを特徴とする請求項１４に記載の計器。
【請求項１６】
前記光学要素はＵ字型またはＶ字型であることを特徴とする請求項１４または請求項１５に記載の計器。
【請求項１７】
前記光学要素は、模様加工された表面または繰り返し模様加工された表面の少なくともひとつを有することを特徴とする請求項１４から請求項１６のいずれかに記載の計器。
【請求項１８】
第１発光素子と第２発光素子とがその上に搭載された回路基板と、
長手方向軸に沿って第１方向に延びる細長い光学要素であって、その細長い光学要素の先端部分に向けて、前記第１方向に対してほぼ垂直な第２方向に延び出しており、かつ、その先端部分が前記第１発光素子と前記第２発光素子との間の前記回路基板の領域と対向しており、光を反射、または光を拡散の少なくともひとつをするように構成された光学要素を有する光学層とを備えることを特徴とする計器。
【請求項１９】
さらに、前記光学層と前記回路基板との間にあり、前記光学要素がその中に向けて延びている光を反射するケースを備え、
前記長手方向軸は、前記光学層が広がる面とほぼ平行に延びていることを特徴とする請求項１８に記載の計器。
【請求項２０】
前記光学要素はＵ字型またはＶ字形であり、
前記光学要素は、模様加工された表面または繰り返し模様加工された表面の少なくともひとつを有することを特徴とする請求項１８または請求項１９に記載の計器。
【発明の詳細な説明】
【技術分野】
【０００１】
ここに開示される発明は、計器に関する。より詳細には、発光素子によって放射された光の反射および／または拡散のためのプリズムを有する計器に関する。
【背景技術】
【０００２】
この項は、発明に関連する背景技術を開示するが、それは公知の従来技術として開示されるものではない。
【０００３】
車両用のような計器は、その上に設けられた文字盤および目盛盤を照明するための発光素子を有することがある。
【発明の概要】
【発明が解決しようとする課題】
【０００４】
このような発光素子は所期の目的のためには有効であるが、依然として改良を必要としている。例えば、より高い効能をもつ少ない数の光反射部および／または光拡散部をもつ文字盤および目盛盤のための改良された照明効果を提供するように構成された複数の発光素子を有する計器が望まれている。
【課題を解決するための手段】
【０００５】
この項は、発明に関する概略的な開示を与えるが、その全範囲またはその全特徴の包括的な開示ではない。
【０００６】
この開示は、第１の発光素子と、この第１の発光素子から離れている第２の発光素子とを提供する。光学要素は、第１の発光素子と第２の発光素子との間に、それらに対向して位置付けられている。光学要素は、第１発光素子および第２発光素子によって発生した光を、反射、または拡散のうちの少なくともひとつをするように構成されている。
【０００７】
この開示は、回路基板と光学層とを有する計器を提供する。回路基板は、そこに搭載された、第１発光素子と第２発光素子とを有する。光学層は、回路基板に向けて延びる光学要素を有する。光学要素の最も先端部分は、回路基板に最も近く、第１発光素子と第２発光素子との間の回路基板の部分と対向している。光学要素は、光を少なくとも反射するように、または光を少なくとも拡散させるように形成されている。
【０００８】
この開示は、回路基板と光学層とを提供する。回路基板は、そこに搭載された、第１発光素子と第２発光素子とを有する。光学層は、長手方向軸に沿って第１方向に延びる細長い光学要素を有する。光学要素は、その先端部分に向けて、第１方向に対してほぼ垂直な第２方向に延び出しており、かつ、その先端部分が第１発光素子と第２発光素子との間の回路基板の領域と対向している。光学要素は、第１発光素子および第２発光素子によって発生した光を、反射、または拡散の少なくともひとつをするように構成されている。
【０００９】
この発明を適用可能な分野はここでの開示によって明らかにされる。この発明の概要における説明と具体的な例示とは、具体的な説明を与える用途だけを意図したものであって、本発明の技術的範囲を限定することを意図したものではない。
【図面の簡単な説明】
【００１０】
【図１】図１は、ここに開示される発明が適用された実施形態に係る計器の分解斜視図である。
【図２Ａ】図２Ａは、光学部品を含む計器の光学的な層を示す平面図である。
【図２Ｂ】図２Ｂは、他の光学部品を含む計器の光学的な層を示す平面図である。
【図３Ａ】図３Ａは、光学部品と発光素子をもつ回路基板とを示す側面図である。
【図３Ｂ】図３Ｂは、他の光学部品と発光素子をもつ回路基板とを示す側面図である。
【発明を実施するための形態】
【００１１】
図面を参照しながら、ここに開示される発明を実施するための複数の形態を説明する。各形態において、先行する形態で説明した事項に対応する部分には同一の参照符号を付して重複する説明を省略する場合がある。また、後続の実施形態においては、先行する実施形態で説明した事項に対応する部分に百以上の位だけが異なる参照符号を付することにより対応関係を示し、重複する説明を省略する場合がある。各形態において、構成の一部のみを説明している場合は、構成の他の部分については他の形態の説明を参照し適用することができる。
【００１２】
（第１実施形態）
図１において、ここに開示される発明が適用された実施形態に係る計器が符号１０によって示されている。計器１０は、光学的な機能を提供する光学層１２、回路基板１４、光を反射可能なケース、装飾盤２０、および指針２２を有する。
【００１３】
光学層１２は、光学部品または光学機能を提供する円板とも呼ばれる。ケースは、光を反射するケース本体１６と、光を反射するケース基部１８とを有する。装飾盤２０は、文字盤または目盛盤とも呼ぶことができる。指針２２は、回転軸のような回転部材に装着されている。回転軸は、文字盤２０の中央部に形成された文字盤孔３０ａ、光学層１２に形成された第１の光学層孔３０ｂ、ケース本体１６に形成されたケース本体孔３０ｃを貫通して延びている。回転軸は任意の適切な機器によって任意の適切な手法で回転させることができる。例えば、回転軸はステップモータによって回転させることができる。
【００１４】
光学層１２は第２光学層孔３０ｄを区画している。第２光学層孔３０ｄは、第１光学層孔３０ｂからずれて配置されている。この第２光学層孔３０ｄは、追加的な指針を回転させるための追加的な回転軸を配置するために利用可能である。
【００１５】
光学層１２は、板状であって、その両面に、互いに対向する第１面３６と第２面３８とを有する。光学要素４０は光学層１２に設けられている。光学要素４０は、第１面３６から延び出している。光学要素４０は、プリズムのように、例えば光を反射し、および／または拡散するように構成された、例えば任意の適切な要素、装置あるいは構造によって提供されうる。光学要素４０は、図２Ａ、２Ｂ、３Ａおよび３Ｂを参照することによってより詳細に説明される。
【００１６】
回路基板１４は、第１発光素子５０ａと第２発光素子５０ｂとを有する。第１発光素子５０ａと第２発光素子５０ｂとは、回路基板１４の外側面５２に設けられている。外側面５２は、内側面５４の反対側である。第１発光素子５０ａおよび第２発光素子５０ｂのそれぞれは、発光ダイオード（ＬＥＤ）を含む半導体光源のような、任意の適切な光源によって提供することができる。第１発光素子５０ａと第２発光素子５０ｂは、同じ色、または異なる色をもつ光で発光するように構成することができる。第１発光素子５０ａと第２発光素子５０ｂは、同じ発光強度で発光するように、同程度の発光強度で発光するように、または異なる発光強度で発光するように構成することができる。さらに、第１発光素子５０ａと第２発光素子５０ｂのそれぞれ、または少なくともひとつは、唯一の色をもつ光を発生するように、または２色以上の多数の色を発生するように構成することができる。
【００１７】
第１発光素子５０ａと第２発光素子５０ｂは、装飾盤２０の模様６０を照明するように配置され、構成されうる。装飾盤２０および／または模様６０は、第１発光素子５０ａおよび第２発光素子５０ｂから発光された光に対して、少なくとも部分的に透光性を示すように構成され、配置されている。模様６０は計器１０が関連付けられた車両の移動速度のような各種情報を伝えるように構成することができる。指針２２は例えば、車両の現在の移動速度を表わす適切な模様６０を指し示すように構成することができる。
【００１８】
光を反射するケース本体１６は、外面７０、およびこの外面７０の反対に位置する内面７２を含んでいる。ケース本体１６は、外面７０の下側に溝７４を区画形成する。溝７４は、光を反射する側面７６を有する。この側面７６は、第１発光素子５０ａおよび第２発光素子５０ｂから発光された光を装飾盤２０に向けて指向させるように構成されている。
【００１９】
ケース本体１６は、光学層１２と回路基板１４との間に配置されている。光学層１２は、その光学層１２の第１面３６が外面７０上に、または光学層１２の第１面３６が外面７０の近傍に位置するように、さらに、光学層１２の光学要素４０が溝７４の中に延び出すように、配置されている。回路基板１４は、第１発光素子５０ａおよび第２発光素子５０ｂが、ケース本体１６の内面７２に区画形成されたひとつまたは複数の開口部を通過して延びるように、または、第１発光素子５０ａおよび第２発光素子５０ｂが、上記開口部に整列して位置付けられるように、配置される。
【００２０】
第１発光素子５０ａおよび第２発光素子５０ｂは、互いに離れて配置されている。光学要素４０は、第１発光素子５０ａと第２発光素子５０ｂとの間の回路基板１４の外面５２の一部と対向して配置されている。ケース本体１６、光学層１２、および回路基板１４は、ケース基部１８の収容部７８内に据え付けられる。このとき、回路基板１４は、収容部７８の最も深い位置、あるいは最も遠い位置に配置される。ケース本体１６は回路基板１４と光学層１２の間に位置付けられている。装飾盤２０は光学層１２の第２面３８の上に据え付けられる。
【００２１】
光学要素４０の追加的な特徴は、図２Ａ、２Ｂ、３Ａおよび３Ｂを参照することによって詳述される。光学要素４０は、第１部分８２ａと第２部分８２ｂとを含む部分８０を有する。部分８０は、光を偏向させる、および／または光を拡散させる。部分８０は、光の方向を変えるか、光を拡散させるかの少なくともひとつをする部分として、光変調部分８０とも呼ぶことができる。光変調部分８０は、光学層１２の第１面３６にある光学層１２の内面８６から、光変調部分８０の先端部分８４に向けて延びている。第１部分８２ａは先端部分８４の第１の側面にある。第２部分８２ｂは、第１部分８２ａとは反対の、先端部分８４の第２の側面にある。
【００２２】
図２Ａ、および図２Ｂに図示されるように、光学要素４０は、光学層１２の軸Ａに沿って細長く延びている。光学要素４０は中空の容積室８８を区画形成する。図３Ａおよび図３Ｂに図示されるように、中空の容積室８８は、光学要素４０と光学層１２の第１面３６との間に位置している。
【００２３】
光変調部分８０は、第１発光素子５０ａおよび第２発光素子５０ｂからの光を偏向するように、および／または拡散するように構成された任意の適切な配置、構成、装置、または表面によって提供することができる。例えば、光変調部分８０は、図２Ａに図示されるように、模様加工された部分、または模様加工された表面９０を有することができる。模様加工された表面９０は、第１発光素子５０ａおよび第２発光素子５０ｂから放射された光の偏向および／または拡散を促進し、および／または増強するように構成されている。
【００２４】
模様加工された部分９０は、不規則に荒らされた面など、任意の適切な手法によって模様加工されている。模様加工された表面９０は、例えば、梨地加工面とも呼ぶことができる。
【００２５】
模様加工された部分９０の代わりに、あるいはその部分に加えて、図２Ｂに図示されるように、光変調部８０は繰り返し模様加工された面９６によって提供することができる。繰り返し模様加工された面９６は、複数のディンプル、複数の凸状点または凹状点、および半円形模様などの任意の適切な形状および／または模様によって提供することができる。
【００２６】
図２Ａに図示されるように、模様加工された部分または模様加工された面９２が、光学要素４０以外の光学層１２の第１面３６上のいくつかの部分に設けられていてもよい。例えば、模様加工された面９２は、第２光学層孔３０ｄの両側に設けることができる。
【００２７】
同様に、図２Ｂにおいて、繰り返し模様加工された部分または繰り返し模様加工された面９８が、光学要素４０以外の光学層１２の第１面３６上のいくつかの部分に設けられていてもよい。例えば、繰り返し模様加工された面９８は、第２光学層孔３０ｄの両側に設けることができる。
【００２８】
光学要素４０は、第１発光素子５０ａと第２発光素子５０ｂとの間に位置する先端部分８４に向けて延びている。先端部分８４は、長手方向軸Ａに沿って細長く延びている。光学要素４０は、先端部分８４が、第１発光素子５０ａと第２発光素子５０ｂとの間において、それらに対して等距離になるように、またはほぼ等距離になるように配置されている。
【００２９】
光学要素４０は、模様６０を照らすために、第１発光素子５０ａおよび第２発光素子５０ｂによって放射された光を装飾盤２０へ向けて指向させるように構成されている。光学要素４０は、図３Ａに図示されるように、その断面において、またはその端部から見た場合において、Ｖ字型の形状を持つことができる。または、光学要素４０は、図３Ｂに図示されるように、その断面において、またはその端部から見た場合において、Ｕ字型の形状を持つことができる。図３Ｂの場合、光学要素４０は、曲面状の光変調部分８０をもつ。
【００３０】
第１発光素子５０ａと第２発光素子５０ｂとの間における光学要素４０の配置は、第１発光素子５０ａおよび／または第２発光素子５０ｂによって放射された光を、単一の光学要素４０を用いることによって装飾盤２０へ向けて指向させることを可能にする。
【００３１】
この実施形態により車両用の計器１０が提供される。計器１０は、車両の走行速度またはエンジンの回転速度を表示する。計器１０は、複数の計器を含む計器集合体の一部分である。計器１０は、クラスタ用のメーターとも呼ばれる。装飾盤２０と指針２２とは、観察者から見えるように計器１０の表面に配置されている。光学層１２は、文字盤２０の背後に配置されている。よって、光学層１２は直接的に視認されない。ケースと回路基板１４とは、光学層１２よりさらに背後に配置されている。よって、ケースと回路基板１４も直接的に視認されない。光学層１２の第１面３６は、装飾盤２０に面しており、第２面３８はケース本体１６およびケース基部１８に面している。
【００３２】
第１発光素子５０ａと第２発光素子５０ｂとは回路基板１４に搭載されている。回路基板１４は、装飾盤２０および光学層１２に対向する外側面５２と、ケースに対向する内側面５４とを有している。第１発光素子５０ａと第２発光素子５０ｂとは、光学層１２に向けて光を供給するように外側面５２の上に配置されている。第１発光素子５０ａと第２発光素子５０ｂとの発光方向は、装飾盤２０、光学層１２、および回路基板１４に対して垂直方向に光を放射するように指向されている。
【００３３】
光学要素４０は、光を取り入れ、光学層１２に向けて光を広げながら供給する。光学層１２と光学要素４０とは、無色または着色された透光性の部材である。光学層１２は、装飾盤２０の全域にわたって光を供給する。光学層１２は、第１および第２発光素子５０ａ、５０ｂからの光を、これら発光素子５０ａ、５０ｂの発光方向とは交差し、装飾盤２０と平行な方向へ向けて案内し、装飾盤２０の下、または周囲の所定の位置まで導く。光学層１２は、導光板とも呼ばれる。
【００３４】
光学要素４０は、第１発光素子５０ａおよび／または第２発光素子５０ｂによって発生した光を、少なくとも反射させるように、または少なくとも拡散させるように構成されている。光学要素４０は、第１の発光素子５０ａと第２の発光素子５０ｂとによって発光された光に対して、反射または拡散の少なくともひとつの機能を発揮するように構成されている。言い換えると、光学要素４０は、第１の発光素子５０ａと第２の発光素子５０ｂとによって発光された光を反射するように、拡散するように、または反射および拡散するように構成されている。
【００３５】
光学要素４０は、２つの発光素子５０ａ、５０ｂの間に、それらから等間隔となるように延びる軸Ａに沿って延びる稜線をもつ凸条でもある。光学要素４０は、回路基板１４に向けて延び出す。光学要素４０の先端部分８４が回路基板１４に最も近い。先端部分８４は稜線を提供している。先端部分８４が第１発光素子５０ａと第２発光素子５０ｂとの間の回路基板１４の部分と対向している。
【００３６】
光学要素４０は、長手方向軸Ａに沿って第１方向に延びる細長い形状である。光学要素４０は、その先端部分に向けて、第１方向に対してほぼ垂直な第２方向に延び出している。言い換えると光学要素４０は、長手方向軸Ａに沿って延びる稜線と、この稜線の両側に広がる光受け入れ面とを有する凸条である。光学要素４０の先端部分８４は、第１発光素子５０ａと第２発光素子５０ｂとの間の回路基板１４の領域と対向している。
【００３７】
光学層１２と回路基板１４との間には光を反射するケース本体部１６が設けられている。光学要素４０がケース本体部１６の中に向けて突出するように延び出している。上記長手方向軸Ａは、光学層１２が広がる面とほぼ平行に延びている。長手方向軸Ａは、指針２２が規定する円の径方向に沿って延びている。長手方向軸Ａは、指針２２が規定する円の中心から第２光学層孔３０ｄの方向に向けて延びている。長手方向軸Ａは、第１光学層孔３０ｂの中心軸と、第２光学層孔３０ｄの中心軸とを通る。
【００３８】
光学要素４０は、中空の容積室８８を区画形成するようにＶ字型またはＵ字型である。中空の容積室８８は三角柱型の空洞である。中空の容積室８８のひとつの面は光学層１２で区画され、残る２つの面は光学要素４０で区画されている。この結果、光学要素４０は、三角形の２つの斜面に相当する２つの外面と、これら２つの外面の内側に位置する２つの内面とを有する。２つの外面が、光を受け入れる受け入れ面を提供する。
【００３９】
図３Ａにおいては、２つの外面は、第１部分８２ａと第２部分８２ｂとによって提供される。第１部分８２ａと第２部分８２ｂとは、先端部分８４から平面状の領域を経て、さらに、光学層１２の内面８６に向けて徐々に合流するように延びる滑らかな凹面状の曲面の領域を経て、内面８６に到達する。２つの内面は、多くの範囲が平面状である。図３Ｂにおいては、２つの外面は、第１部分８２ａと第２部分８２ｂとによって提供される。第１部分８２ａと第２部分８２ｂとは、先端部分８４から凸面状の曲面の領域を経て、さらに、光学層１２の内面８６に向けて徐々に合流するように延びる滑らかな凹面状の曲面の領域を経て、内面８６に到達する。２つの内面は、曲面によって提供されている。
【００４０】
中空の容積室８８を区画する２つの内面は、取り入れた光を必要な方向へ案内するために有利である。光学要素４０の２つの脚部は、図３Ａ、図３Ｂに図示されるように、光学層１２と接続される部分において、長手方向軸Ａと垂直であって、光学層１２が提供する面と平行な方向に幅広く広がっている。光学要素４０の２つの脚部は、中空の容積室８８を区画する板状の中間部分より、光学層１２との連結部分においてより広い断面積を提供するように、先端部分８４から脚部に向けて徐々に広がっている。よって、光学要素４０は、光を広げながら光学層１２の中に供給する。中空の容積室８８は、第２光学層孔３０ｄによって光学層１２の中を通る光の経路が遮断される領域への光の漏れ出しを抑制する。光学要素４０は、第２光学層孔３０ｄの周囲に光を供給するように利用することができる。
【００４１】
光学要素４０は、装飾盤２０の中心から径方向外側に離れた部位に位置付けられている。光学要素４０は、光学層１２の径方向の最も外側に位置付けられている。光学要素４０は、第２光学層孔３０ｄよりも径方向外側に設けられている。光学要素４０は、第２光学層孔３０ｄよりも径方向内側には設けられていない。光学要素４０は、上述のような構成においても、光学層１２の中へ効率的に光を導入することを可能とする。
【００４２】
光学要素４０は、第１発光素子５０ａおよび第２発光素子５０ｂから放射された光をケース本体１６に設けられた溝７６内に拡散させる反射面としての機能を有することができる。例えば、光学要素４０の２つの外面は反射面として利用可能である。光学要素４０の２つの内面も光学要素４０の内部に向けての反射面として利用可能である。溝７６は、孔３０ｃのまわりに沿って環状に形成されている。光学要素４０は、環状の溝７６の一部に位置付けられている。光学要素４０が提供する２つの斜面は、光学要素４０の両側に延びる溝７６に向けて光を供給することができる。
【００４３】
光学要素４０の上の模様加工された面９０または繰り返し模様加工された面９６は、Ｖ字型の光学要素４０の先端部分８４に沿って延びる稜線を含む細長い範囲に広がっている。模様加工された面９０または繰り返し模様加工された面９６は、光学要素４０の外面の全体にわたって設けることができる。代替的に、光学要素は、その両側における光学要素４０の斜面部分に模様加工または繰り返し模様加工のない範囲を有することができる。模様加工された面９０または繰り返し模様加工された面９６は、軸Ａに対して対称となるように配置されている。
【００４４】
光学層１２の上の模様加工された面９２または繰り返し模様加工された面９８は、軸Ａに対して対称となるように配置されている。この構成は、第１発光素子５０ａおよび第２発光素子５０ｂに対応して位置付けられた模様加工された面９２または繰り返し模様加工された面９８を提供する。
【００４５】
模様加工された面９０、９２と、繰り返し模様加工された面９６、９８とは、表面の模様の大きさと、それら模様の配置の規則性とで区別することができる。模様加工された面９０、９２は、その面上に形成された比較的小さい模様を提供する凹凸と、比較的規則性を認めがたい、場合によってはランダムな凹凸とによって特徴付けられる。また、繰り返し模様加工された面９６、９８は、その面上に形成された比較的大きい模様を提供する凹凸と、比較的規則性を認めやすい、場合によっては規則的に配置された凹凸とによって特徴付けられる。
【００４６】
図３Ａおよび図３Ｂに図示されたＶ字型およびＵ字型のそれぞれの光学要素４０に加えて、光学要素４０は他の任意の適切な横断面の形状をとることができる。例えば、３つの発光素子を備える場合、光学要素４０は、その断面において、またはその端部から見た場合において、Ｗ字型の形状をもつことができる。この場合、Ｗ字型の光学要素４０が提供する２つの凸条のそれぞれは、並べられた３つの発光素子の間に位置付けられる。例えば、第１発光素子と第２発光素子との間にひとつの凸条が位置付けられ、第２発光素子と第３発光素子との間に他の凸条が位置付けられる。
【００４７】
第１発光素子５０ａおよび第２発光素子５０ｂは任意の適切な手法によって駆動することができる。例えば、第１発光素子５０ａが第１強度（相対的に弱い発光強度、例えば第１発光素子５０ａの発光強度が第２発光素子５０ｂの発光強度より弱い場合）で光を発生するように構成されている場合、第１発光素子５０ａは、装飾盤２０および模様６０を照明するために相対的に少ない光が必要な時の状態の間中に点灯するように駆動することができる。第２発光素子５０ｂが第１強度より強い第２強度で発光するように駆動されるように構成されている場合、第２発光素子５０ｂは、装飾盤２０および模様６０を照明するために相対的に多い光が必要な時の状態の間中に点灯するように駆動することができる。光学要素４０は第１発光素子５０ａと第２発光素子５０ｂとの間に位置付けられているから、第１発光素子５０ａおよび第２発光素子５０ｂのどちらかだけが発光していても、どちらが発光しているかに関係なく、光学要素４０は光を装飾盤２０へ向けて指向させる。よって、それぞれの発光素子５０ａ、５０ｂのために個別の独立した光学要素を使用する必要がなくなる。これは、計器１０の製造、組立を単純化し、計器１０のコストを下げることを可能とする。第１発光素子５０ａおよび第２発光素子５０ｂは、それらが同時に発光しないよう構成される場合がある。第１発光素子５０ａおよび第２発光素子５０ｂは、いくつかの使用において、同時に発光するように構成される場合がある。
【００４８】
図２Ａおよび図２Ｂに図示されるように、光学層１２は、さらに、第１の横反射部材９４ａおよび第２の横反射部材９４ｂを備えることができる。装飾盤２０および／またはその上の模様６０の照明をさらに明るく増強するために、第１の横反射部材９４ａおよび第２の横反射部材９４ｂは、第１発光素子５０ａおよび第２発光素子５０ｂから放射された光をさらに装飾盤２０に向けて指向させるように構成することができる。
【００４９】
以上に述べた実施形態の説明は、図示と説明のために与えられたものである。そこには、発明を限定する意図や、網羅的にする意図はない。それぞれの個別の構成要素、または特定の実施形態の特徴は、その特定の実施形態に限定されない。しかし、具体的に図示され説明されていない限り、適用可能であれば、それらは互いに入れ替え可能であり、特定の選ばれた実施形態において利用可能である。それぞれの個別の構成要素、または特定の実施形態の特徴は、多くの手法に変形可能でもある。それらの変形例は発明からの派生物として考慮されるべきではなく、すべてのそれらの変形例は発明の技術的範囲に属するべきものとして意図されている。
【符号の説明】
【００５０】
１０  計器、  １２  光学層、  １６  ケース本体部、
１４  回路基板、  １８  ケース基部、
２０  装飾盤、  ２２  指針、４０  光学要素、
５０ａ  第１発光素子、  ５０ｂ  第２発光素子、
８０  光変調部分、  ８４  先端部分、
８２ａ  第１部分、８２ｂ  第２部分、８８  中空の容積室。
【図１】
2015072255.tif 000003
【図２Ａ】
2015072255.tif 000004
【図２Ｂ】
2015072255.tif 000005
【図３Ａ】
2015072255.tif 000006
【図３Ｂ】
2015072255.tif 000007